(57)【要約】【課題】筋力が低下し、所定の握力を持たない被検者でも、緊急呼出スイッチを使用することができ、したがって、ＭＲＩ装置で検査することができるＭＲＩ装置を提供することを目的とする。【解決手段】ＭＲＩ装置本体と、上記ＭＲＩ装置本体によるＭＲＩ検査中に、被検者の体の一部の動きを光学的に検出する光学的検出手段と、上記光学的検出手段が上記体の一部の動きを検出したときに警報する警報装置とを有するＭＲＩ装置である。【選択図】図１
2013146343.tif 000002
【特許請求の範囲】
【請求項１】
ＭＲＩ装置本体と；
上記ＭＲＩ装置本体によるＭＲＩ検査中に、被検者の体の一部の動きを光学的に検出する光学的検出手段と；
上記光学的検出手段が上記体の一部の動きを検出したときに警報する警報装置と；
を有することを特徴とするＭＲＩ装置。
【請求項２】
ＭＲＩ装置本体と；
上記ＭＲＩ装置本体によるＭＲＩ検査中に、被検者の体の一部の動きを光学的に検出する光学的検出手段と；
上記光学的検出手段が上記体の一部の動きを検出したときに、上記被検者をＭＲＩ装置本体から搬出する搬出装置と；
を有することを特徴とするＭＲＩ装置。
【請求項３】
請求項１または請求項２において、
上記光学的検出手段は、
上記ＭＲＩ装置が設置されているＭＲＩ室の外に設けられている光源と；
上記光源の光を、上記被検者の体の一部が動く領域に導く第１の光ファイバと；
上記第１の光ファイバが発した光を、上記領域を介して、上記ＭＲＩ室の外部に導く第２の光ファイバと；
上記第２の光ファイバが放出した光を受け、上記ＭＲＩ装置の外部に設けられている受光素子と；
によって構成されていることを特徴とするＭＲＩ装置。
【請求項４】
請求項１または請求項２において、
上記被検者の体の一部は、上記被検者の手または足の指であることを特徴とするＭＲＩ装置。
【請求項５】
請求項１または請求項２において、
上記光学的検出手段は、被検者の互いに異なる部位の動きを検出するために、複数設けられ、上記光学的検出手段の少なくとも２つがオン・オフ変化を検出すると、被検者が緊急を知らせたと判断する判断手段を有することを特徴とするＭＲＩ装置。
【請求項６】
請求項５において、
上記２つの光学的検出手段は、一方の手の指の動きを検出する光学的検出手段と、他方の手の指の動きを検出する光学的検出手段とであることを特徴とするＭＲＩ装置。
【請求項７】
請求項５において、
上記２つの光学的検出手段は、一方の足の指の動きを検出する光学的検出手段と、他方の足の指の動きを検出する光学的検出手段とであることを特徴とするＭＲＩ装置。
【請求項８】
請求項５において、
上記２つの光学的検出手段は、足の指の動きを検出する光学的検出手段と、手の指の動きを検出する光学的検出手段とであることを特徴とするＭＲＩ装置。
【請求項９】
請求項１または請求項２において、
被検者の体の一部の動きを上記光学的検出手段が検出すると、ＭＲＩ装置において被検者を照明する照明手段をオンするかオフするか、または上記照明手段の輝度を上げる照明制御手段を有することを特徴とするＭＲＩ装置。
【請求項１０】
請求項１または請求項２において、
上記光学的検出手段は、近接センサを利用した検出手段であることを特徴とするＭＲＩ装置。
【発明の詳細な説明】
【技術分野】
【０００１】
本発明は、ＭＲＩ装置に関する。
【背景技術】
【０００２】
ＭＲＩ装置で被検者を検査する場合、検査の途中で被検者の気分が悪くなったときに、緊急を知らせるために使用する緊急呼出スイッチが知られている（たとえば、特許文献１参照）。
【０００３】
この緊急呼出スイッチは、ゴムボールで作られ、被検者が上記ゴムボールを握ると、その内圧が高くなり、この圧力変化を検出して、ベルが鳴動する等して、検査員が緊急状態を認識し、ＭＲＩ装置から被検者を搬出する操作を検査員が実行する。
【０００４】
また、ＭＲＩ装置で検査中に、被検者が緊急を知らせることができるような対策を講じることが法律に定められている。
【０００５】
なお、ＭＲＩ装置内又はその近傍に、磁性体を置くと、磁界が乱され、正確な検査結果を得ることができないので、磁性体を使用しないゴム等を材料とするスイッチが、緊急呼出スイッチとして使用されている。
【先行技術文献】
【特許文献】
【０００６】
【特許文献１】特開２０１０−９４２９２号公報
【発明の概要】
【発明が解決しようとする課題】
【０００７】
上記従来例において、緊急呼出スイッチを構成するゴムボールを握るには、ある程度の握力が必要であり、その握力を持たない被検者は、法律が求める条件を満たすことができないので、ＭＲＩ装置で検査することができないという問題がある。
【０００８】
たとえば、筋ジストロフィー患者は、筋力が低下し、上記ゴムボールを握ることができないので、ＭＲＩ装置で検査することができないという問題がある。
【０００９】
なお、指の動きを検出するタッチセンサを、緊急呼出スイッチとして使用することが考えられ、このようにすれば、筋力が弱い被検者でも、緊急を知らせることができる。しかし、タッチセンサを使用する場合、タッチセンサおよびそのリード線に磁性体が介在するので、この磁性体によって磁界が乱され、ＭＲＩの検査結果の信頼性が極端に低下する。
【００１０】
本発明は、筋力が低下し、所定の握力を持たない被検者でも、緊急呼出スイッチを使用することができ、したがって、ＭＲＩ装置で検査することができるＭＲＩ装置を提供することを目的とする。
【課題を解決するための手段】
【００１１】
本発明は、ＭＲＩ装置本体と、上記ＭＲＩ装置本体によるＭＲＩ検査中に、被検者の体の一部の動きを光学的に検出する光学的検出手段と、上記光学的検出手段が上記体の一部の動きを検出したときに警報する警報装置とを有するＭＲＩ装置である。
【発明の効果】
【００１２】
本発明によれば、被検者の体の一部の動きを光学的に検出するので、筋力が低下し、所定の握力を持たない被検者でも、緊急状態を検査員に迅速に知らせることができ、また、光学的に検出する場合、磁性体を使用しないので、ＭＲＩ装置に悪影響を及ぼさず、したがって、筋力が低下し、所定の握力を持たない被検者でも、ＭＲＩ装置で検査することができるという効果を奏する。
【図面の簡単な説明】
【００１３】
【図１】本発明の実施例１であるＭＲＩ装置１００を示すブロック図である。
【図２】第１の光ファイバ２０と、指搭載台３０と、被検者の手の指Ｆと、第２の光ファイバ４０との関係を示す平面図である。
【図３】実施例１において、第１の光ファイバ２０と、指載置台３０と、指Ｆと、領域Ｒと、第２の光ファイバ４０との関係を示す正面図である。
【図４】実施例１において、指載置台３０から指Ｆを上げた場合に、第１の光ファイバ２０の他端面２２から出た光の経路が遮断されることを示す正面図である。
【図５】本発明の実施例２であるＭＲＩ装置２００を示す図である。
【図６】本発明の実施例３であるＭＲＩ装置３００を示す図である。
【発明を実施するための形態】
【００１４】
発明を実施するための形態は、以下の実施例である。
【実施例１】
【００１５】
図１は、本発明の実施例１であるＭＲＩ装置１００を示すブロック図である。
【００１６】
ＭＲＩ装置１００は、ＭＲＩ室１０と、ＭＲＩ装置本体１１と、指検出装置ＦＤ１と、警報装置６０とを有する。
【００１７】
ＭＲＩ室１０の中に、ＭＲＩ装置本体１１が設けられ、ＭＲＩ装置本体１１の中に、指載置台３０が設けられている。
【００１８】
指検出装置ＦＤ１は、光源Ｌと、第１の光ファイバ２０と、指載置台３０と、第２の光ファイバ４０と、受光素子５０とを有する。
【００１９】
光源Ｌは、ＭＲＩ室１０の外に設けられている。第１の光ファイバ２０は、光源Ｌからの光を受ける一端面２１と、光源Ｌから受けた光を指載置台３０に照射する他端面２２とを有する。
【００２０】
図２は、第１の光ファイバ２０と、指搭載台３０と、被検者の手の指Ｆと、第２の光ファイバ４０との関係を示す平面図である。
【００２１】
指載置台３０には、被検者の手とその指Ｆとよりもやや大きい形状の凹部である溝３１が設けられ、被検者の指が動く領域である領域Ｒが、指載置台３０の上に存在している。
【００２２】
第２の光ファイバ４０は、第１の光ファイバ２０の他端面２２から放出された光を受ける一端面４１と、ＭＲＩ室１０の外部に設けられている他端面４２とを有する。受光素子５０は、第２の光ファイバ４０の他端面４２から放出される光を受光する受光面５１を有し、他端面４２から放出された光の量に応じた電気信号を出力する素子である。
【００２３】
警報装置６０は、受光素子５０が出力した電気信号に応じて警報を発する装置である。
【００２４】
図３は、実施例１において、第１の光ファイバ２０と、指載置台３０と、指Ｆと、領域Ｒと、第２の光ファイバ４０との関係を示す正面図である。
【００２５】
実施例１においては、被検者の手の指Ｆの全てが指載置台３０に接触している場合には、第２の光ファイバ４０の一端面４１が第１の光ファイバ２０から光を受け、つまり領域Ｒに障害物が無いので、この場合は正常である（被検者が搬出されることを欲していない）と考え、警報装置６０が警報を発しない。逆に、被検者の指Ｆが指載置台３０から離れると、つまり領域Ｒに障害物が存在するので、第１の光ファイバ２０からの光を、第２の光ファイバ４０の一端面４１が受けないので、異常状態であると考え、警報装置６０が警報を発する。
【００２６】
次に、上記実施例の動作について説明する。
【００２７】
まず、ＭＲＩ室１０の外部に、光源Ｌを設置し、この光源Ｌに、第１の光ファイバ２０の一端面２１を対向させ、光源Ｌからの光が一端面２１に向かう。この光は、第１の光ファイバ２０内を経由し、他端面２２から放出される。
【００２８】
第２の光ファイバ４０の一端面４１が、領域Ｒを挟んで、第１の光ファイバ２０の他端面２２に対向し、第２の光ファイバ４０の他端面４２が、ＭＲＩ室１０の外部に設けられている受光素子５０の受光面５１に対向している。
【００２９】
ここで、ＭＲＩ装置本体１１の内部に横たわっている被検者は、その手の指Ｆの全てを、指載置台３０に載置する。つまり、指載置台３０の上に指Ｆの全てが接触している状態が通常状態であり、この状態では、第１の光ファイバ２０の他端面２２から放出された光が遮蔽物なしに、第２の光ファイバ４０の一端面４１に向かい、第２の光ファイバ４０を介して、受光素子５０の受光面５１に放出される。
【００３０】
図４は、実施例１において、指載置台３０から指Ｆを上げた場合に、第１の光ファイバ２０の他端面２２から出た光の経路が遮断されることを示す正面図である。
【００３１】
ここで、被検者の気分が悪くなったとし、この場合に、被検者がその指Ｆを僅かに（たとえば、数ｍｍだけ）上昇し、指Ｆ１の位置に移動したとする。これによって、第１の光ファイバ２０の他端面２２と第２の光ファイバ４０の一端面４１との間の領域Ｒに、指Ｆ１が進入する。このときに、第１の光ファイバ２０の他端面２２から放出された光が第２の光ファイバ４０の一端面４１に到達しなくなる。したがって、第２の光ファイバ４０の他端面４２から光の放出が停止されるので、受光素子５０が光を検出することができず、受光素子５０は、受光信号の出力を停止する。受光素子５０の出力が停止したことによって、指Ｆが指Ｆ１の位置に動いたことを受光素子５０が検出し、警報装置６０が、ブザー音を発する等して、警報する。この警報を聞いた検査員が、ＭＲＩ室１０に入り、被検者にどうしたのかを聞き、ＭＲＩ装置本体１１から出してもらうことを被検者が望んでいることを確かめた後に、図示しない搬出スイッチを押すことによって、ＭＲＩ装置本体１１から被験者を搬出する。
【００３２】
実施例１によれば、被検者の手の指Ｆの動きを光学的に検出するので、筋力が低下し、所定の握力を持たない被検者でも、緊急状態を検査員に知らせることができ、また、光学的に検出する場合、磁性体を使用しないので、ＭＲＩ装置本体１１に悪影響を及ぼさず、したがって、筋力が低下し、所定の握力を持たない被検者でも、ＭＲＩ装置で検査することができる。
【００３３】
実施例１では、手の指Ｆの動きを光学的に検出しているが、被検者の足の指の動きを検出するようにしてもよい。また、指以外の体の一部（足、膝、手、腕、肘等）の動きを光学的に検出するようにしてもよい。
【００３４】
実施例１において、光源Ｌと、第１の光ファイバ２０と、第２の光ファイバ４０と、受光素子５０とは、ＭＲＩ装置本体１１によるＭＲＩ検査中に、被検者の体の一部の動きを光学的に検出する光学的検出手段の例である。また、警報装置６０は、上記光学的検出手段が上記体の一部の動きを検出したときに警報する警報装置の例である。
【００３５】
また、実施例１において、光学的検出手段が体の一部の動きを検出したときに、被検者をＭＲＩ装置本体から搬出する搬出装置を設けるようにしてもよい。
【実施例２】
【００３６】
図５は、本発明の実施例２であるＭＲＩ装置２００を示す図である。
【００３７】
ＭＲＩ装置２００は、ＭＲＩ装置１００において、指検出装置ＦＤ１の代わりに、指検出装置ＦＤ２が設けられている実施例である。
【００３８】
指検出装置ＦＤ２には、光学的検出手段が２組設けられている。
【００３９】
１組目の光学的検出手段は、図１に示す指検出装置ＦＤ１と同じであり、光源Ｌと、第１の光ファイバ２０と、指載置台３０と、第２の光ファイバ４０と、受光装置５０とによって構成され、たとえば、被検者の左手の指が指載置台３０に載置される。
【００４０】
２組目の光学的検出手段は、指検出装置ＦＤ１と同様であり、光源Ｌと、第１の光ファイバ２０ａと、指載置台３０ａと、第２の光ファイバ４０ａと、受光装置５０ａとによって構成され、たとえば、被検者の右手の指が指載置台３０ａに載置される。
【００４１】
また、指検出装置ＦＤ２は、判断手段５２を有する。判断手段５２は、受光装置５０、５０ａから受信した信号に応じた処理を行い、必要に応じて、警報装置６０に警報させる。すなわち、上記２つの光学的検出手段は、被検者の互いに異なる部位の動きを検出するために、複数設けられている。そして、判断手段５２は、２つの光学的検出手段がそれぞれオン・オフ変化を検出すると、被検者が緊急を知らせたと判断する手段であり、この場合に、警報装置６０に警報させるように動作する。
【００４２】
上記２つの光学的検出手段は、一方の手の指の動きを検出する光学的検出手段と、他方の手の指の動きを検出する光学的検出手段とであってもよい。
【００４３】
また、上記２つの光学的検出手段は、一方の足の指の動きを検出する光学的検出手段と、他方の足の指の動きを検出する光学的検出手段とであってもよい。
【００４４】
さらに、上記２つの光学的検出手段は、足の指の動きを検出する光学的検出手段と、手の指の動きを検出する光学的検出手段とであってもよい。
【００４５】
上記のように、２つの光学的検出手段がともに、オン・オフ変化を検出すると、被検者が緊急を知らせたと判断するというように、ＡＮＤ条件を課すことによって、緊急呼出スイッチ（被検者がＭＲＩ装置本体１１から搬出されることを望む意思を検出する手段）としての信頼性が向上する。
【００４６】
この場合、１つ目の光学的検出手段が一方の指の動きを検出したと同時に、２つ目の光学的検出手段が他の手の指の動きを検出した場合に、緊急呼出スイッチが押された（被検者がＭＲＩ装置本体１１から搬出されることを望んでいる）と判断するようにしてもよい。また、１つ目の光学的検出手段が指の動きを検出したタイミングと、２つ目の光学的検出手段が指の動きを検出したタイミングとが異なっても、緊急呼出スイッチが押されたと判断するようにしてもよい。この場合でも、１つ目の光学的検出手段が指の動きを検出したタイミングから、２つ目の光学的検出手段が指の動きを検出したタイミングまでが、所定時間（たとえば、１０秒間）以内である場合にのみ、緊急呼出スイッチが押されたと判断するようにしてもよい。
【００４７】
また、上記のようにする代わりに、１つ目の光学的検出手段は、被検者の手の指の動きを検出し、２つ目の光学的検出手段は、被検者の足の指の動きを検出し、２つの光学的検出手段がともに指の動きを検出したときに、緊急呼出スイッチが押されたと判断するようにしてもよい。
【００４８】
また、上記光学的検出手段が３つ以上設けられ、上記光学的検出手段の少なくとも２つがオン・オフ変化を検出する（体の一部の動きを検出する）と、被検者が緊急を知らせたと判断するようにしてもよい。
【００４９】
また、上記各実施例において、被検者の体の一部の動きを検出すると、被検者を照明する照明手段（図示せず）をオンするかオフするか、または上記照明手段の輝度を上げるようにしてもよい。このようにすれば、被検者がＭＲＩ装置本体１１から搬出されたいと思って自分の指等を動かしたことが、照明手段が明るくなることによって、認められたと感じ、安心する。
【実施例３】
【００５０】
図６は、本発明の実施例３であるＭＲＩ装置３００を示す図である。
【００５１】
ＭＲＩ装置３００は、ＭＲＩ装置１００において、指検出装置ＦＤ１の代わりに指検出装置ＦＤ３を設け、警報装置６０の代わりに被検者反応装置９０を設けた装置である。
【００５２】
指検出装置ＦＤ３は、指載置台３０の上に載置されている被検者の指Ｆの上昇を検出する装置であり、指載置台３０と、光ファイバ７０と、ファイバセンサ８０とを有する。
【００５３】
光ファイバ７０は、一端面７１と他端面７２とを有し、一端面７１は、指Ｆの上に設けられ、指Ｆに対向している。他端面７２は、ファイバセンサ８０の光出入窓（図示せず）に向いている。ファイバセンサ８０は、光源と受光素子とハーフミラー（３部材ともに図示せず）を有し、いわゆる近接センサである。上記光源は、上記ハーフミラーを介して光ファイバ７０の他端面７２に投光し、上記受光素子は、光ファイバ７０の他端面７２からの反射光を、上記ハーフミラーを介して受ける。
【００５４】
次に、実施例３の動作について説明する。
【００５５】
指載置台３０の上に、被検者の指Ｆが載置され、この状態で、ファイバセンサ８０の上記光源が発光し、上記ハーフミラー、他端面７２、光ファイバ７０の本体、一端面７１を介した光が、指Ｆで反射し、この反射光が、一端面７１、光ファイブ７０の本体、他端面７２、上記光出入窓、上記ハーフミラーを介して、上記受光素子に到達する。指Ｆが指載置台３０に載置されている場合には、上記反射光の強度が所定値以下であるので、受光素子が出力する信号レベルが低く、被検者反応表示器９０は、指Ｆが指載置台３０に載置されていると判断する。その後、被検者が指Ｆを上昇させたとする。これによって、上記反射光の強度が増加し、上記受光素子の出力信号レベルが高くなり、被検者反応表示器９０は、指Ｆが指Ｆ１の位置に移動したと判断する。そして、被検者反応表示器９０が、その旨の表示をし、または、警告を発する。
【００５６】
また、実施例３において、指Ｆを３ｍｍ上昇した場合に、指Ｆの移動を検出するが、３ｍｍ以外の距離を移動した場合に指Ｆの移動を検出するようにしてもよい。
【００５７】
なお、上記実施例３において、指載置台３０の下面に指Ｆをセットし、光ファイバ７０の一端面７１が、指Ｆの下に設けられ、指Ｆと対向するようにしてもよい。また、指載置台３０の側面に指Ｆをセットし、光ファイバ７０の一端面７１が、指Ｆの横に設けられ、指Ｆと対向するようにしてもよい。
【００５８】
実施例３における光学的検出手段は、近接センサを利用した検出手段であると言える。
【００５９】
実施例３によっても、被検者の体の一部の動きを光学的に検出するので、筋力が低下し、所定の握力を持たない被検者でも、緊急状態を検査員に迅速に知らせることができ、また、光学的に検出する場合、磁性体を使用しないので、ＭＲＩ装置に悪影響を及ぼさず、したがって、筋力が低下し、所定の握力を持たない被検者でも、ＭＲＩ装置で検査することができる。
【符号の説明】
【００６０】
１００、２００、３００…ＭＲＩ装置、
１０…ＭＲＩ室、
１１…ＲＲＩ装置本体、
２０、２０ａ…第１の光ファイバ、
３０、３０ａ…指載置台、
４０、４０ａ…第２の光ファイバ、
５０…受光装置、
６０…警報装置。
【図１】
2013146343.tif 000003
【図２】
2013146343.tif 000004
【図３】
2013146343.tif 000005
【図４】
2013146343.tif 000006
【図５】
2013146343.tif 000007
【図６】
2013146343.tif 000008